(57)【要約】【課題】ストッキングのずり落ち防止機能を備えた野球用のスライディングパンツを提供すること。【解決手段】少なくとも着用者の陰部及び臀部を覆うパンツ本体部１と、太腿を覆う太腿部２とを備えた野球用のスライディングパンツにおいて、前記太腿部２の裾丈寸法を、この太腿部２の裾部２Ａが少なくとも足に着用した野球用ストッキング７の上端部に対して重合し得る長さ寸法に設定し、この太腿部２の裾部２Ａの前記ストッキング７上端部と重合する部分に滑り止め材６を設け、この滑り止め材６を前記ストッキング７の上端部に重合当接することでストッキング７のずり落ちを防止し得るように構成したスライディングパンツ。【選択図】　　　　図４
2004008250.tif 000002
【特許請求の範囲】
【請求項１】
少なくとも着用者の陰部及び臀部を覆うパンツ本体部と、太腿を覆う太腿部とを備えた野球用のスライディングパンツにおいて、前記太腿部の裾丈寸法を、この太腿部の裾部が少なくとも足に着用した野球用ストッキングの上端部に対して重合し得る長さ寸法に設定し、この太腿部の裾部の前記ストッキング上端部と重合する部分に滑り止め材を設け、この滑り止め材を前記ストッキングの上端部に重合当接することでストッキングのずり落ちを防止し得るように構成したことを特徴とするスライディングパンツ。
【請求項２】
前記裾部の前記ストッキング上端部と重合する内面に前記滑り止め材を設け、この裾部をストッキングの上端部に外側から重合して滑り止め材をストッキングの上端部に重合当接することでストッキングのずり落ちを防止し得るように構成したことを特徴とする請求項１記載のスライディングパンツ。
【請求項３】
前記裾部の前記ストッキング上端部と重合する内面全周に前記滑り止め材を設けたことを特徴とする請求項１，２のいずれか１項に記載のスライディングパンツ。
【請求項４】
前記太腿部の裾丈寸法を、この太腿部の裾部が足の膝上から膝下にかけてに位置する長さ寸法に設定して、この裾部が足に着用した野球用ストッキングの上端部に対して重合し得るように構成したことを特徴とする請求項１〜３のいずれか１項に記載のスライディングパンツ。
【請求項５】
前記太腿部の裾部内面にシリコンプリントしたゴムを縫製して、このゴムを前記滑り止め材としたことを特徴とする請求項１〜４のいずれか１項に記載のスライディングパンツ。
【発明の詳細な説明】
【０００１】
【発明の属する技術分野】
本発明は、ストッキングのずり落ち防止機能を備えた野球用のスライディングパンツに関するものである。
【０００２】
【従来の技術及び発明が解決しようとする課題】
野球のユニフォーム着用にあたっては、足にアンダーストッキングを履き、その上に（オーバー）ストッキングを履くのが普通であるが、このアンダーストッキングやストッキングは、ただ履いただけでは運動中にずり下がってきてしまうため、従来はストッキングの上部外周に滑り止め用のバンドを巻き付け、このバンドの締め付け力によってずり落ちないようにしている。
【０００３】
しかし、このようにアンダーストッキングとストッキングとを二重に重ね履きした上で更にバンドを巻きつけることは非常に手間がかかるし、ずり落ちないようにとバンドを過剰に締め付けてしまって締め付け部位がかゆくなってしまうことも往々にしてあった。
【０００４】
一方、従来、スライディングパンツと称される衝撃保護パット付の野球用スポーツウェアがあり、このスライディングパンツを履いているとスライディング時に臀や腰側面にかかる衝撃が緩和されるため、野球をする人は大半がこのスライディングパンツを着用する。
【０００５】
本発明者は、上記のようなストッキングずり落ち防止にバンドを使用することの問題点に注目し、また、野球に際して大半の人がライディングパンツを着用する現状に鑑みて、スライディングパンツの裾部にストッキングの滑り止め（ずり落ち防止）機能を設ければ、締め付けバンドを巻き付ける手間がなくなり、且つ人為的な過剰締め付けが行われることもなく、ずり落ちない状態でストッキングの快適な着心地が維持されて秀れた実用性を発揮することになるのではないかと着眼し、本発明の画期的なスライディングパンツを完成させた。
【０００６】
【課題を解決するための手段】
添付図面を参照して本発明の要旨を説明する。
【０００７】
少なくとも着用者の陰部及び臀部を覆うパンツ本体部１と、太腿を覆う太腿部２とを備えた野球用のスライディングパンツにおいて、前記太腿部２の裾丈寸法を、この太腿部２の裾部２Ａが少なくとも足に着用した野球用ストッキング７の上端部に対して重合し得る長さ寸法に設定し、この太腿部２の裾部２Ａの前記ストッキング７上端部と重合する部分に滑り止め材６を設け、この滑り止め材６を前記ストッキング７の上端部に重合当接することでストッキング７のずり落ちを防止し得るように構成したことを特徴とするスライディングパンツに係るものである。
【０００８】
また、前記裾部２Ａの前記ストッキング７上端部と重合する内面に前記滑り止め材６を設け、この裾部２Ａをストッキング７の上端部に外側から重合して滑り止め材６をストッキング７の上端部に重合当接することでストッキング７のずり落ちを防止し得るように構成したことを特徴とする請求項１記載のスライディングパンツに係るものである。
【０００９】
また、前記裾部２Ａの前記ストッキング７上端部と重合する内面全周に前記滑り止め材６を設けたことを特徴とする請求項１，２のいずれか１項に記載のスライディングパンツに係るものである。
【００１０】
また、前記太腿部２の裾丈寸法を、この太腿部２の裾部２Ａが足の膝上から膝下にかけてに位置する長さ寸法に設定して、この裾部２Ａが足に着用した野球用ストッキング７の上端部に対して重合し得るように構成したことを特徴とする請求項１〜３のいずれか１項に記載のスライディングパンツに係るものである。
【００１１】
また、前記太腿部２の裾部２Ａ内面にシリコンプリントしたゴム６Ａを縫製して、このゴム６Ａを前記滑り止め材６としたことを特徴とする請求項１〜４のいずれか１項に記載のスライディングパンツに係るものである。
【００１２】
【発明の実施の形態】
好適と考える本発明の実施の形態（発明をどのように実施するか）を、図面に基づいてその作用効果を示して簡単に説明する。
【００１３】
本発明品を着用した後で足に野球用のストッキング７を着用するか、若しくはストッキング７を着用した後で本発明品を着用すると、太腿部２の裾部２Ａがストッキング７の上端部に重合し、この裾部２Ａのストッキング７上端部と重合する部分に設けた滑り止め材６をストッキング７の上端部に重合当接させるとストッキング７のずり落ちが防止される。
【００１４】
従って、単に本発明品の裾部２Ａをストッキング７の上端部に重合させるだけで容易にストッキング７のずり落ちを防止できるし、従来のような締め付けバンドは不要となるため、着用時にバンドを巻き付ける面倒がない分着用動作を容易に且つ迅速に行えることになり、しかも、過剰な締め付けによってかゆみを生じるようなこともなく、ストッキング７の快適な着心地が維持されることになり、その上スライディングパンツは野球をする大半の人が着用するので、本発明品を着用することはユニフォーム着用にあたっての余分な手間とはならないなど、極めて実用性に秀れた画期的なスライディングパンツとなる。
【００１５】
また、例えば、前記裾部２Ａの前記ストッキング７上端部と重合する内面に前記滑り止め材６を設け、この裾部２Ａをストッキング７の上端部に外側から重合して滑り止め材６をストッキング７の上端部に重合当接することでストッキング７のずり落ちを防止し得るように構成すれば、太腿部２自体が持つ伸縮性によって着用者の太腿は適度に締め付けられるが、この太腿部２の裾部２Ａの締め付け力により滑り止め材６とストッキング７の上端部との重合当接状態が良好に保持されて滑り止め材６による滑り止め効果が良好となるため、一層秀れたストッキング７のずり落ち防止効果を発揮することになる。
【００１６】
また、例えば前記裾部２Ａの前記ストッキング７上端部と重合する内面全周に前記滑り止め材６を設ければ、上記作用効果に加えてストッキング７上端部の全周に滑り止め効果が発揮されるため、一層秀れたストッキング７のずり落ち防止効果が得られることになる。
【００１７】
また、例えば、前記太腿部２の裾丈寸法を、この太腿部２の裾部２Ａが足の膝上から膝下にかけてに位置する長さ寸法に設定して、この裾部２Ａが足に着用した野球用ストッキング７の上端部に対して重合し得るように構成すれば、着用時に膝上若しくは膝下に上端部が位置する既存の野球用ストッキング７に良好に対応して上記のような滑り止め（ずり落ち防止）効果を発揮できることになり、一層実用的となる。
【００１８】
また、例えば、前記太腿部２の裾部２Ａ内面にシリコンプリントしたゴム６Ａを縫製して、このゴム６Ａを前記滑り止め材６とすれば、前記作用効果を確実に発揮する滑り止め材６を簡易構成にして容易に設計実現可能となり、一層実用的となる。
【００１９】
【実施例】
本発明の具体的な実施例について図面に基づいて説明する。
【００２０】
本実施例のスライディングパンツは、図１，図２に示すような着用者の陰部及び臀部を覆うパンツ本体部１と、太腿を覆う太腿部２とを備え、パンツ本体部１の臀部及び腰側面部を覆う部位に衝撃保護パット材３を設けている。
【００２１】
また、このパンツ本体部１は、伸縮性を有する素材で構成し、人体にピッタリとフィットして筋肉の無駄な振動を抑え、疲労を軽減できるように構成している。
【００２２】
本実施例では、前記太腿部２の裾丈寸法を、この太腿部２の裾部２Ａが少なくとも足に着用した野球用ストッキング７の上端部に対して重合し得る長さ寸法に設定している。
【００２３】
具体的に説明すると、図３，図４に示すように、太腿部２の裾部２Ａが足の膝上部に位置する長さ寸法に設定して、この裾部２Ａが、足に着用した際膝上に上端部が位置する長さの野球用ストッキング７のこの上端部に対して重合し得るように構成している。
【００２４】
また、本実施例では、この太腿部２の裾部２Ａの前記ストッキング７上端部と重合する部分に滑り止め材６を設け、この滑り止め材６を前記ストッキング７の上端部に重合当接することで（滑り止め材６とストッキング７との摩擦により）ストッキング７のずり落ちを防止し得るように構成している。
【００２５】
具体的に説明すると、裾部２Ａの前記ストッキング７上端部と重合する内面に前記滑り止め材６を設け、この裾部２Ａをストッキング７の上端部に外側から重合して滑り止め材６をストッキング７の上端部に重合当接する構成としている。
【００２６】
従って、太腿部２自体が持つ伸縮性によって着用者の太腿は適度に締め付けられるが、この太腿部２の裾部２Ａの締め付け力により滑り止め材６とストッキング７の上端部との重合当接状態が良好に保持され、滑り止め材６による滑り止め効果が良好となって秀れたストッキング７のずり落ち防止効果を発揮することになる構成としている。また、この際、この滑り止め作用により裾部２Ａがずり上がることも防止される。
【００２７】
また、この太腿部２（裾部２Ａ）の締め付け力はかゆみを生じるほど強いものではないため、従来の締め付けバンドのように快適性を損なうことがない。
【００２８】
尚、本実施例のストッキング７は、図４に示すようにオーバーストッキング７とした場合を示し、このオーバーストッキング７のずり落ちが滑り止め材６によって防止されることでアンダーストッキング７Ａもずり落ちないようにした場合を示している。
【００２９】
また、滑り止め材６について具体的に説明すると、裾部２Ａ内面にシリコンプリントしたゴム６Ａを縫製して構成している。従って、この構成は簡易に設計実現可能な構成であり、量産性に秀れ、安価に構成可能となる。
【００３０】
尚、本実施例では、裾部２Ａが人体の膝上部に位置するように太腿部２の裾丈寸法を設定した場合を示したが、太腿部２の裾部２Ａが膝下部に位置するように太腿部２の裾丈寸法を設定しても良く、このように構成することで、上端部が膝下に位置する長さの既存の野球用ストッキング７に適応することになる。
【００３１】
また、本実施例では、少なくとも前記太腿部２に、長さ方向に伸縮しにくいか若しくは殆ど伸縮しない伸縮阻止ライン部４を形成すると共に、この伸縮阻止ライン部４は、人体にテープを巻き筋肉，関節などの動きを規制して挫傷，打撲，肉離れ，捻挫，骨折などを防止するテーピング効果と同様な効果を生じ得る方向に形成している。
【００３２】
具体的に説明すると、図１，図２に示すようにパンツ本体部１の腰部から太腿部の裾にかけてに、着用者の太腿の筋肉繊維の長さ方向に沿って湾曲状の前記伸縮阻止ライン部４を形成し、この伸縮阻止ライン部４によりテーピング方向の動きを規制すれば、太腿の筋肉の保護，股関節の保護などが図れ、その結果太腿の肉離れ，股関節の挫傷などのスポーツ障害を予防或いはその再発を防止し得るとの理論に基づいて構成している。
【００３３】
また、この伸縮阻止ライン部４は、パンツ本体部１の前側左右に夫々二本ずつ、後側左右に一本ずつ設け、この片側三本ずつの伸縮阻止ライン部４によって一層テーピング効果が良好に発揮されるようにしている。
【００３４】
従って、太腿の筋肉の動きや股関節の動きを考慮して設定されたこの伸縮阻止ライン部４によって、野球プレイヤーに生じ易い挫傷や肉離れなどの防止の他、人体へのフィット感も向上し、運動時の疲労も一層軽減されることになる構成としている。
【００３５】
また、本実施例では、陰部及び臀部を覆う前記パンツ本体部１の陰部及び股下部及び前記臀部谷間部を覆う部位を、通気性素材５で構成し、これにより特にムレ易いパンツ本体部３内の陰部及び股下部及び前記臀部谷間部の温度コントロールが適度になされて、着用時にムレにくく、快適性が維持され、抗菌，消臭効果も得られることになる構成としている。尚、臀部の前記衝撃保護パット材３は、臀部谷間部の通気性素材５を避けるようにして設け、この衝撃保護パット材３が通気性の妨げとならないようにしている。
【００３６】
尚、本発明は、本実施例に限られるものではなく、各構成要件の具体的構成は適宜設計し得るものである。
【００３７】
【発明の効果】
本発明は上述のように構成したから、単に本発明品の裾部をストッキングの上端部に重合させるだけで容易にストッキングのずり落ちを防止できるし、従来のようなずり落ち防止の締め付けバンドは不要となるため、着用時にバンドを巻き付ける面倒がない分着用動作を容易に且つ迅速に行えることになり、しかも、過剰な締め付けによってかゆみを生じるようなこともなく、ストッキング着用時の快適性が良好に維持されることになり、その上スライディングパンツは野球をする大半の人が着用するので、本発明品を着用することはユニフォーム着用にあたっての余分な手間とはならないなど、極めて実用性に秀れた画期的なスライディングパンツとなる。
【００３８】
また、請求項２記載の発明においては、太腿部自体が持つ伸縮性によって着用者の太腿は適度に締め付けられるが、この太腿部の裾部の締め付け力によって滑り止め材とストッキングの上端部との重合当接状態が極めて良好に保持されることになり、これにより滑り止め材による滑り止め効果が一層良好となるため、極めて秀れたストッキングのずり落ち防止効果を発揮することになる画期的なスライディングパンツとなる。
【００３９】
また、請求項３記載の発明においては、上記作用効果に加えてストッキング上端部の全周に滑り止め効果が発揮されるため、一層秀れたストッキングのずり落ち防止効果が得られることになる実用性に秀れたスライディングパンツとなる。
【００４０】
また、請求項４記載の発明においては、着用時に膝上若しくは膝下に上端部が位置する既存の野球用ストッキングに良好に対応できることになる一層実用性に秀れた構成のスライディングパンツとなる。
【００４１】
また、請求項５記載の発明においては、前記作用効果を確実に発揮する滑り止め材を簡易構成にして容易に設計実現可能となる一層実用性に秀れた構成のスライディングパンツとなる。
【図面の簡単な説明】
【図１】本実施例を示す正面図のである。
【図２】本実施例を示す背面図である。
【図３】本実施例の使用状態を示す説明図である。
【図４】本実施例の使用状態における滑り止め材によるストッキングのずり落ち防止機能を示す説明図である。
【符号の説明】
１　パンツ本体部
２　太腿部
２Ａ　裾部
６　滑り止め材
６Ａ　ゴム
７　ストッキング
【図１】
2004008250.tif 000003
【図２】
2004008250.tif 000004
【図３】
2004008250.tif 000005
【図４】
2004008250.tif 000006